(57)【要約】【課題】  バイパスコンベア体の主コンベア体および副コンベアの駆動構造を複雑にすることなく、バイパス循環路を容易に構成することができるとともに、モータからの動力を直に主コンベア体および副コンベア体に伝達させ、搬送ローラの駆動力の減衰を極力回避可能な循環搬送路におけるバイパス搬送装置を提供すること。【解決手段】  主コンベア体１ａに対して折り畳み自在な副コンベア体１ｂとを一直線状に揺動させることでバイパス循環路を容易に構成できるとともに、搬送ローラ４，４’とは別体で設けた両駆動軸５，５’とが両軸継手６，７を介して連結されるので、モータ９の駆動力が副駆動軸５’にも直に伝達され、駆動手段９を直接持たない副コンベア体１ｂの搬送ローラ４’も回転させることができる。しかも、両駆動軸５，５’同士が直接連結されることで、駆動手段９から伝達される駆動力の減衰を効果的に回避できる。【選択図】  図６
2006217980.tif 000002
【特許請求の範囲】
【請求項１】
飲食物を循環搬送する循環型飲食物搬送装置における循環搬送路間に配置され、該循環搬送路間を接続してバイパス循環路を構成する循環搬送路におけるバイパス搬送装置であって、
前記バイパス搬送装置は、前記飲食物の搬送路面を形成する複数の搬送ローラと、前記飲食物の搬送方向に向けて延設され、駆動手段の駆動により軸心周りに回転する駆動軸と、該駆動軸の回転力を前記搬送ローラに伝達する伝達手段と、を備えるローラコンベアにて構成され、
該ローラコンベアは、前記駆動手段を備える主コンベア体と、該主コンベア体に対して折り畳み自在に軸支された副コンベア体と、からなり、前記駆動軸は、前記主コンベア体側の主駆動軸と前記副コンベア体側の副駆動軸とに分割可能に構成されているとともに、前記主駆動軸と前記副駆動軸との分割部には軸継手が設けられており、
前記主コンベア体と前記副コンベア体とが一直線状となって前記バイパス循環路を構成する使用位置となったときに、前記軸継手を介して前記主駆動軸と前記副駆動軸とが連結されるようになっていることを特徴とする循環搬送路におけるバイパス搬送装置。
【請求項２】
前記軸継手は、互いに対向する接合端面に磁性体が埋設され、該接合端面が平坦に形成された磁気軸継手であって、前記磁性体の磁力によって前記主駆動軸と前記副駆動軸とを相対回転不能に連結させる請求項１に記載の循環搬送路におけるバイパス搬送装置。
【請求項３】
前記主コンベア体または前記副コンベアは、一端が前記循環搬送路の途中に回動自在に軸支され、前記循環搬送路の内側面に沿って収納できるようになっているとともに、折り畳み時において前記主コンベア体及び前記副コンベア体それぞれの搬送路面が対向するようになっている請求項１または２に記載の循環搬送路におけるバイパス搬送装置。
【請求項４】
前記使用位置において、前記主コンベア体に対して前記副コンベア体を屈曲不能にロックするロック機構を備え、該ロック機構を前記軸継手の近傍に設けた請求項１乃至３のいずれかに記載の循環搬送路におけるバイパス搬送装置。
【請求項５】
前記伝達手段は、前記主駆動軸及び前記副駆動軸の外周に環装された複数の軸磁性体と、前記各搬送ローラの端部に設けられ、前記軸磁性体と離間して配置された複数のローラ磁性体と、からなり、前記主駆動軸及び前記副駆動軸の回動力が、前記軸磁性体及び前記ローラ磁性体の磁力の吸引及び反発作用により前記各搬送ローラに伝達されるようになっている請求項１乃至４のいずれかに記載の循環搬送路におけるバイパス搬送装置。
【発明の詳細な説明】
【技術分野】
【０００１】
本発明は、搬送物となる飲食物として、特に寿司などを搬送して飲食客に供給する循環型の搬送路において、店内に入場される客数の増減に応じて循環搬送路の搬送距離を適宜調整することができる循環搬送路におけるバイパス搬送装置に関する。
【背景技術】
【０００２】
従来の飲食物搬送用の循環搬送路は、カウンタなどの飲食台に沿って無端状に形成され、この搬送路に搬送物としての飲食物、例えば寿司等を盛りつけた寿司皿などの容器を載置して搬送、供給されることは公知技術として利用されており、多数の客数を収容する大型の飲食店では距離の長い循環搬送路を設置することにより、飲食物を効果的に供給可能になっている。
【０００３】
この距離の長い循環搬送路を使用する飲食店では、時期によって繁忙期と閉散期とがあり、閑散期には循環搬送路の途中で向かい合う循環搬送路にバイパスコンベア体を掛け渡してベルトコンベアを駆動させることで、今までの循環搬送路よりも短縮されたバイパス循環路を形成させることができ、店内の客数に応じて循環搬送路の搬送距離を適宜変更するようにしたバイパス搬送装置がある。
【０００４】
この種のバイパス搬送装置としては、例えば向かい合う循環搬送路２ｄ，２ｂからそれぞれ別体のベルトコンベア１ａ，１ｂを設け、両ベルトコンベア１ａ，１ｂを水平位置に連結させてバイパスコンベア体１を構成することでバイパス循環路を形成し、循環搬送路２ｄ，２ｂにそれぞれ別個に設けたモータＭによって各ベルトコンベア１ａ，１ｂを駆動させることで、一方の循環搬送路２ｄからの飲食物を他方の循環搬送路２ｂに向けて搬送させるものがある（例えば、特許文献１参照）。
【０００５】
また、循環搬送路間２ａの途中に、主コンベア体１ａ及び該主コンベア体１ａに揺動自在に軸支された副コンベア体１ｂからなる折畳式のバイパスコンベア体１を設け、これら主コンベア体１ａと副コンベア体１ｂを水平直線状に延設させてバイパス循環路を形成させた際に、互いに隣接する従動ローラ６ｂと従動ローラ７ａとが、連動手段Ｔのローラ体１２ａの外周に接触するようにし、循環搬送路２ａに設けられた１個のモータＭの駆動で主コンベア体１ａの駆動ローラ３を回動させることで、従動ローラ６ｂの回動がローラ体１２ａに伝達され、このローラ体１２ａの回動により副コンベア体１ｂの主動ローラ７ａを介して無端平ベルト５が回動され、飲食物Ｓを一方の循環搬送路２ａから他方の循環搬送路２ｂに向けて搬送可能としたものがある（例えば、特許文献２参照）。
【０００６】
【特許文献１】特開２０００−２５５７６６号公報（段落００１８〜００２１、図１，図２）
【特許文献２】特開２００１−２９２０５号公報（段落００２２〜段落００２６、図１）
【発明の開示】
【発明が解決しようとする課題】
【０００７】
しかしながら、特許文献１に記載のバイパス搬送装置にあっては、向かい合う循環搬送路２ｄ，２ｂにそれぞれ別体のベルトコンベア１ａ，１ｂを設けてバイパスコンベア体１を形成させるとともに、これらベルトコンベア１ａ，１ｂの駆動手段であるモータを両循環搬送路２ｄ，２ｂそれぞれに備える必要があることから、製造コストが嵩むとともに、両モータを同期させる等、駆動制御が複雑になるという問題があった。
【０００８】
また、特許文献２に記載のバイパス搬送装置にあっては、主コンベア体１ａ側に設けられたモータＭの駆動力が、主コンベア体１ａの駆動ローラ３，無端平ベルト４，従動ローラ６ｂ、そして連動手段Ｔのローラ体１２ａ等、複数の部材を介して間接的に伝達されることから、無端平ベルト５に伝達されるまでにモータＭの駆動力が減衰しやすいといった問題があった。
【０００９】
本発明は、このような問題点に着目してなされたもので、バイパス循環路の形成を容易に行うことができるとともに、バイパス循環路を形成したときに、駆動手段の駆動力を極力減衰させることなく効率よく伝達して飲食物を搬送させることができる循環搬送路におけるバイパス搬送装置を提供することを目的とする。
【課題を解決するための手段】
【００１０】
上記課題を解決するために、本発明の請求項１に記載の循環搬送路におけるバイパス搬送装置は、
飲食物を循環搬送する循環型飲食物搬送装置における循環搬送路間に配置され、該循環搬送路間を接続してバイパス循環路を構成する循環搬送路におけるバイパス搬送装置であって、
前記バイパス搬送装置は、前記飲食物の搬送路面を形成する複数の搬送ローラと、前記飲食物の搬送方向に向けて延設され、駆動手段の駆動により軸心周りに回転する駆動軸と、該駆動軸の回転力を前記搬送ローラに伝達する伝達手段と、を備えるローラコンベアにて構成され、
該ローラコンベアは、前記駆動手段を備える主コンベア体と、該主コンベア体に対して折り畳み自在に軸支された副コンベア体と、からなり、前記駆動軸は、前記主コンベア体側の主駆動軸と前記副コンベア体側の副駆動軸とに分割可能に構成されているとともに、前記主駆動軸と前記副駆動軸との分割部には軸継手が設けられており、
前記主コンベア体と前記副コンベア体とが一直線状となって前記バイパス循環路を構成する使用位置となったときに、前記軸継手を介して前記主駆動軸と前記副駆動軸とが連結されるようになっていることを特徴としている。
この特徴によれば、主コンベア体と該主コンベア体に対して折り畳み自在な副コンベア体とを一直線状として使用位置とすることで、飲食物を搬送する搬送ローラとは別に設けられた主駆動軸と副駆動軸とが軸継手を介して連結され、これにより駆動手段が設けられる主コンベア体側の主駆動軸の駆動力が直接副駆動軸に伝達され、駆動手段を持たない副コンベア体の搬送ローラが回転されるようになるため、バイパス循環路を容易に構成することができるばかりか、駆動軸同士が直接連結されることで、駆動手段から伝達される駆動力の減衰を効果的に回避できる。また、例えば店員等がバイパス循環路を横切る際には副コンベア体を折り曲げることで通路を容易に確保できるとともに、副駆動軸が主駆動軸と分離されて副コンベア体の駆動が停止するので、安全である。
【００１１】
本発明の請求項２に記載の循環搬送路におけるバイパス搬送装置は、請求項１に記載の循環搬送路におけるバイパス搬送装置であって、
前記軸継手は、互いに対向する接合端面に磁性体が埋設され、該接合端面が平坦に形成された磁気軸継手であって、前記磁性体の磁力によって前記主駆動軸と前記副駆動軸とを相対回転不能に連結させることを特徴としている。
この特徴によれば、主駆動軸と副駆動軸との端部同士を嵌合させる等の複雑な構造を必要とすることなく、簡便且つ確実に両駆動軸を相対回転不能に連結させることができる。
【００１２】
本発明の請求項３に記載の循環搬送路におけるバイパス搬送装置は、請求項１または２に記載の循環搬送路におけるバイパス搬送装置であって、
前記主コンベア体または前記副コンベアは、一端が前記循環搬送路の途中に回動自在に軸支され、前記循環搬送路の内側面に沿って収納できるようになっているとともに、折り畳み時において前記主コンベア体及び前記副コンベア体それぞれの搬送路面が対向するようになっていることを特徴としている。
この特徴によれば、折り畳んで収納した状態において両コンベア体の搬送路面が外部に露出されることがないので、非使用時において搬送路面に汚れが付着しにくくなり、衛生的であるとともに、コンベア体が循環搬送路の下方に収納されるため、邪魔になることがない。
【００１３】
本発明の請求項４に記載の循環搬送路におけるバイパス搬送装置は、請求項１乃至３のいずれかに記載の循環搬送路におけるバイパス搬送装置であって、
前記使用位置において、前記主コンベア体に対して前記副コンベア体を屈曲不能にロックするロック機構を備え、該ロック機構を前記軸継手の近傍に設けたことを特徴としている。
この特徴によれば、主コンベア体に対して副コンベア体が屈曲しにくくなるため、特に軸継手同士の連結が解除されて駆動力が減衰することが効果的に防止される。
【００１４】
本発明の請求項５に記載の循環搬送路におけるバイパス搬送装置は、請求項１乃至４のいずれかに記載の循環搬送路におけるバイパス搬送装置であって、
前記伝達手段は、前記主駆動軸及び前記副駆動軸の外周に環装された複数の軸磁性体と、前記各搬送ローラの端部に設けられ、前記軸磁性体と離間して配置された複数のローラ磁性体と、からなり、前記主駆動軸及び前記副駆動軸の回動力が、前記軸磁性体及び前記ローラ磁性体の磁力の吸引及び反発作用により前記各搬送ローラに伝達されるようになっていることを特徴としている。
この特徴によれば、主駆動軸及び副駆動軸の回動力を非接触状態で効率よく、かつ減衰させることなく搬送ローラに伝達させることができるばかりか、搬送路面から落下した飲食物が付着した場合でも、軸磁性体とローラ磁性体とが離間配置されているため、清掃作業等を容易に行うことができる。
【発明を実施するための最良の形態】
【００１５】
本発明の実施例を以下に説明する。
【実施例】
【００１６】
図１は、本発明の実施例におけるバイパス搬送装置を用いた飲食物供給用循環搬送路の全体像を示す平面図であり、図２（ａ）は、バイパスコンベアの使用状態を示す斜視図であり、図２（ｂ）は、バイパス搬送装置であるバイパスコンベアを折り畳み収納した非使用状態を示す斜視図であり、図３は、図２（ｂ）のＢ−Ｂ線を示すバイパスコンベアの側断面図であり、図４（ａ）は、主コンベア体を水平位置に揺動させた操作説明図であり、図４（ｂ）は、副コンベア体の揺動過程を示す操作説明図であり、図５は、主コンベア体および副コンベア体の主，従駆動軸の接続を示す要部拡大斜視図であり、図６は、バイパスコンベアの動力伝達過程を示す要部拡大側断面図である。
【００１７】
本実施形態の飲食物供給用の循環搬送路は、図１に示されるように従来公知の無端状のクレセントチエンコンベアにより平面視矩形状に構成され、この循環搬送路２に沿ってカウンタＫが形成され、カウンタＫの外部に沿って椅子が複数配置されている。循環搬送路２内には特に図示しない厨房を設け、例えば厨房内で飲食物となる寿司等が調理され寿司皿Ｓに載置され、搬送物として循環搬送路２に人為的または自動的に載置されることで、各種寿司が順次カウンタＫ側に搬出されるようになっており、循環搬送路２によって飲食客に搬送、供給されるようになっている。
【００１８】
図１において、循環搬送路２の途中の搬送路２ａと、これに対向する下流側の搬送路２ａ’には、適宜バイパス搬送装置であるバイパスコンベア１が接続されており、図中白矢印で示される寿司皿Ｓの循環搬送路を短縮したバイパス循環路（図中黒矢印）が形成されている。
【００１９】
図２（ａ）に示されるように、バイパスコンベア１は、長手方向の略中央位置において分割される主コンベア体１ａおよび副コンベア体１ｂから構成され、両コンベア体１ａ，１ｂは、それぞれの分割部である一端部３ａ，３ａ’同士が後述で説明する多関節楪番１０で互いに屈曲可能に連結されており、バイパスコンベア１の使用時には搬送路２ａから搬送路２ａ’に一直線状に掛け渡されている。
【００２０】
両コンベア体１ａ，１ｂの長手方向に向かって左右側に配置されるフレーム３，３’間には、寿司皿Ｓの搬送方向に向けて複数の搬送ローラ４，４’が所定間隔おきに並列状に架設され、これら各搬送ローラ４，４’の上端部によって寿司皿Ｓを搬送する平坦な搬送路面が形成されている。これら搬送ローラ４，４’は、主コンベア体１ａの下面に設けられた駆動ボックス８に収納された後述する駆動手段の動力で回動されるようになっている。
【００２１】
主コンベア体１ａの他端部３ｂの下方に位置する搬送路２ａの内側面には、図２及び図３に示されるように上下に取付片２ｃおよび２ｄが取り付けられており、この取付片２ｃに他端部３ｂの下面に設けられた支持板１３が軸着され、取付片２ｄには伸縮自在な支持棒１５の一端が軸着され、支持棒１５の他端を駆動ボックス８近傍に設けられた支持片１４に軸着させることで、リンク機構が形成されている。なお、このリンク機構による主コンベア体１ａの回動については後述で説明する。
【００２２】
一方、副コンベア体１ｂの他端部３ｂ’側面には、回動自在に軸支されたフック１６が取り付けられており、後述するバイパスコンベア１の非使用時に、主コンベア体１ａの他端部３ｂ側面に設けられたフック受軸１７に係合可能になっている。
【００２３】
バイパスコンベア１の左右端近傍に位置する搬送路２ａ，２ａ’には、切替レバーＲ１，Ｒ２が軸支されており、寿司皿Ｓの搬送方向を通常の循環搬送路またはバイパス循環路のいずれかに適宜切り替え可能になっている。つまり、バイパスコンベア１の使用時には搬送路２ａから搬送される寿司皿Ｓを切替レバーＲ１で主コンベア体１ａに案内させ、切替レバーＲ２で副コンベア体１ｂからの寿司皿Ｓを搬送路２ａ’に案内させることで、複数の寿司皿Ｓを円滑にバイパス循環路に循環させ来客に飲食物を提供している。
【００２４】
搬送路２ａにおける切替レバーＲ１の配置位置には、図２（ｂ）に示されるように、バイパスコンベア１の使用時において、主コンベア体１ａの他端部３ｂが嵌合される凹溝状の係止部２ｂが形成されており、また、対面側の搬送路２ａ’における切替レバーＲ２の配置位置には、副コンベア体１ｂの他端部３ｂが嵌合される係止部２ｂ’が形成されている。
【００２５】
バイパス循環路の非使用状態において、バイパスコンベア１は、図２（ｂ）及び図３に示されるように、副コンベア体１ｂを主コンベア体１ａに多関節楪番１０を介して互いの搬送路面が対向するように折り畳まれ、さらに主コンベア体１ａを上記したリンク機構（２ｃ，２ｄ，１３，１４，１５）によって搬送路２ａの内側面側に回動させることで、循環搬送路２内の側壁内面に沿ってコンパクトに収納され、循環搬送路２に囲まれる厨房内での調理作業の邪魔にならない構成になっている。
【００２６】
副コンベア体１ｂの一端部３ａ’下面には、先端部にボルト１２ｂが螺入された固定部材１２が、該先端部が副コンベア体１ｂの一端部３ａ’から突出するように取り付けられており、バイパスコンベア１の使用時において、この固定部材１２が主コンベア体１ａのフレーム３の下面に当接するようになっている。なお、主コンベア体１ａおよび副コンベア体１ｂの折り畳み時には、フック１６とフック受軸１７の係合により両者を連結させることで、外部からの衝撃等による副コンベア体１ｂの開成が防止される。
【００２７】
さらに、副コンベア体１ｂを主コンベア体１ａに折り畳んで収納した状態では、両コンベア体１ａ，１ｂの搬送路面が外部に露出されることがないので、バイパスコンベア１の非使用時において搬送路面に汚れが付着しにくくなり、衛生的であるとともに、両コンベア体１ａ，１ｂが循環搬送路２の片側搬送路２ａの下方側面側に沿って収納されるため、邪魔になることがない。
【００２８】
次に、主コンベア体１ａおよび副コンベア体１ｂについて詳細に説明する。図３に示されるように、複数の搬送ローラ４，４’は、その両端に突設される軸４ｂ，４ｂ’によりフレーム３，３’に回動可能に軸着されており、これら軸４ｂ,４ｂ’の外周には、伝達手段の一部であるローラ磁性体４ａ，４ａ’が設けられている。
【００２９】
主コンベア体１ａには、搬送ローラ４を基準として搬送路面の反対位置に、寿司皿Ｓの搬送方向と同方向、つまり一端部３ａから他端部３ｂに向けて、主駆動軸５が軸芯周りに回動自在に延設されている。同様に副コンベア体１ｂには、搬送ローラ４’を基準として搬送路面の反対位置に、寿司皿Ｓの搬送方向と同方向、つまり一端部３ａ’から他端部３ｂ’に向けて、主駆動軸５とは別個の副駆動軸５’が軸芯周りに回動自在に延設されている。
【００３０】
これら主駆動軸５および副駆動軸５’には、長手方向に向けて伝達手段の一部である軸磁性体５ａ，５ａ’が各ローラ磁性体４ａ，４ａ’と一対で対応するように、所定間隔おきに複数設けられている。また、一端部３ａおよび一端部３ａ’には、板金状のリンク部材からなる多関節楪番１０の両端部がそれぞれ軸１０ａ，１０ａ’を介して軸支されており、主コンベア体１ａに副コンベア体１ｂが揺動可能に連結されている。
【００３１】
主駆動軸５の端部には、主軸継手６が設けられ、また副駆動軸５’の端部には副軸継手７が設けられており、主コンベア体１ａと副コンベア体１ｂとを一直線状に移動させた際に、両軸継手６，７が互いに連結される構成になっている。主コンベア体１ａの下面に設けられた駆動ボックス８内には、駆動磁性体９ａを軸９ｂ周りに回動制御可能に軸支させた駆動手段であるモータ９が、複数のうち主コンベア体１ａの略中央に位置する軸磁性体５ａに対応するように設けられている。
【００３２】
副コンベア体１ｂの下面に設けられたロック機構に相当する固定部材１２には、上下に貫通する嵌合孔１２ａが形成され、嵌合孔１２ａ内にボルト１２ｂを螺合させている。主コンベア体１ａ下面の一端部３ａ側には上下に貫通する嵌合孔３ｃが形成されている。また一端部３ａ，３ａ’側のフレーム３およびフレーム３’の対面側には、それぞれ傾斜部３ｄ，３ｄ’が形成されている。
【００３３】
次いで、このように構成されたバイパスコンベア１を非使用状態から使用状態に展開する過程について具体的に説明する。まず図４（ａ）に示されるように、主コンベア体１ａに対して副コンベア体１ｂが折り畳まれた状態のバイパスコンベア１全体を、水平となるように回動させたのち、副コンベア体１ｂを矢印に示される方向（時計回り）に回動させていくと、図４（ｂ）に示されるように副コンベア体１ｂが多関節楪番１０の２つの軸１０ａ，１０ａ’を軸芯として大きく回転されていく。なお、フレーム３，３’には傾斜部３ｄ，３ｄ’が形成されていることで、回転時における副コンベア体１ｂと主コンベア体１ａとの接触が生じないようになっている。
【００３４】
さらに、副コンベア体１ｂを矢印に示される方向（時計回り）に回転させていくと、図５に示されるように、主駆動軸５と副駆動軸５’の端部にそれぞれ設けられた主軸継手６と副軸継手７が徐々に近接されていく。このように主コンベア体１ａと副コンベア体１ｂを多関節蝶番１０にて折り畳み自在に軸支させたことで、互いの軸継手６，７同士を極力軸心方向に沿って接近させた状態で連結させることが可能となるため、副コンベア体１ｂの連結過程の途中における軸継手６，７同士の接触による摩耗や損傷を極力回避できる。
【００３５】
また、主軸継手６及び副軸継手７における互いに対向する接合端面は平坦面状に形成されており、これら接合端面には磁性体６ａ，７ａが複数個（本実施例では永久磁石が４個ずつ）埋設されて磁気軸継手を構成している。つまり、これら両軸継手６，７の接合端面を互いに当接させると、これら磁性体６ａ，７ａの磁力の吸引作用によって両駆動軸５，５’を相対回転不能に連結できるようになっているので、例えば両軸継手６，７の連結時において、両駆動軸５，５’の端部同士を嵌合させる等の複雑な構造を必要とすることなく、単に接合端面同士を当接させるだけで簡便且つ確実に磁性体６ａ，７ａ同士の結合を行える。
【００３６】
なお、本実施例においては、主軸継手６及び副軸継手７それぞれの接合端面に磁性体としての永久磁石が埋設されているが、例えば主軸継手６または副軸継手７のいずれか一方の接合端面のみに永久磁石を埋設し、他方を鉄板等の磁性体としてもよい。また、磁性体は永久磁石に限定されるものではなく、電磁石等であってもよい。
【００３７】
図６に示されるように、両軸継手６，７が接続されると、主コンベア体１ａと副コンベア体１ｂの一端部３ａ，３ａ’同士も連接され、両コンベア体１ａ，１ｂが一直線状となる。この状態において、副コンベア体１ｂに設けられた固定部材１２の先端部が主コンベア体１ａの一端部３ａ下面に当接され、嵌合孔３ｃと嵌合孔１２ａの位置が合致する。
【００３８】
ここで嵌合孔１２ａに螺合されたボルト１２ｂを嵌合孔３ｃに螺入させることで、主コンベア体１ａに対して副コンベア体１ｂが屈曲不能にロックされ、強固に連結固定されるので、例えば外部からの衝撃によっても両軸継手６，７同士の連結を解除されにくい構造となり、後述する主軸継手６および副軸継手７の駆動力の減衰を効果的に防止できる。
【００３９】
次いで、バイパスコンベア１の使用時における搬送ローラ４，４’の駆動状態について説明する。モータ９の駆動によって駆動磁性体９ａが回動されると、磁力の吸引（引力）と反発（斥力）の繰り返しにより、非接触状態で近傍に配置された軸磁性体５ａに動力が伝達され、主駆動軸５が回動されるとともに、主軸継手６および副軸継手７を介して副駆動軸５’も連動して同方向に回動する。
【００４０】
これにより他の軸磁性体５ａ，５ａ’も同様に回動されるので、これら複数の軸磁性体５ａ，５ａ’の回動による磁力の吸引と反発の繰り返しにより、各軸磁性体５ａ，５ａ’の近傍に位置するローラ磁性体４ａ，４ａ’を回動させ、寿司皿Ｓを安定した速度で搬送できる。
【００４１】
このように、モータ９からの動力が軸磁性体５ａ，５ａ’およびローラ磁性体４ａ，４ａ’に非接触で伝達されるので、例えば、主駆動軸５及び副駆動軸５’の回動力を非接触状態で効率よく、かつ減衰させることなく搬送ローラ４、４’に伝達させることができるばかりか、搬送路面から落下した飲食物が付着した場合でも、軸磁性体５ａ，５ａ’とローラ磁性体４ａ，４ａ’とが離間配置されていることで、清掃作業等を容易に行うことができる。また、搬送ローラ４，４’が非接触型の伝達手段にて回動されるので、各動力伝達部材の磨耗や粉塵および騒音の発生を極力抑えたバイパスコンベア１となる。
【００４２】
さらに、連結した主軸継手６と副軸継手７の近傍の上下位置には、主コンベア体１ａと副コンベア体１ｂを連結する多関節部材１０およびロック機構である固定部材１２とが設けられているので、主軸継手６と副軸継手７の連結強度がさらに補完され高められている。
【００４３】
以上の説明したように、本実施例におけるバイパスコンベア１は、主コンベア体１ａに対して折り畳み自在な副コンベア体１ｂとを一直線状にして使用位置とすることで、バイパス循環路を容易に構成できるとともに、搬送ローラ４，４’とは別個に設けた両駆動軸５，５’とが両軸継手６，７を介して連結され、これにより駆動手段としてのモータ９が設けられる主コンベア体１ａ側の主駆動軸５の駆動力が直接副駆動軸５’に伝達され、モータ９を持たない副コンベア体１ｂの搬送ローラ４’を従動回転させることができるため、バイパス循環路を容易に構成することができるばかりか、両駆動軸５、５’同士が直接連結されることで、モータ９から伝達される駆動力の減衰を効果的に回避できる。
【００４４】
しかも、例えば厨房内の店員等がバイパス循環路を横切る際には、副コンベア体１ｂを主コンベア体１ａ側に折り曲げることで通路を容易に確保できるとともに、副駆動軸５’が主駆動軸５と分離されて副コンベア体１ｂの駆動が自動的に停止するので、安全である。
【００４５】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、両軸継手６，７の対向端面に埋設された磁性体６ａ，７ａによって簡便な構成で両駆動軸５，５’を確実に連結できることから好ましいが、本発明はこの磁性体６ａ，７ａを用いた連結構造に限定されるものではなく、例えば両軸継手６，７の対向端面に凹凸部を形成し、両者を嵌合させて両駆動軸５，５’を相対回転不能に連結させるようにしてもよい。
【００４６】
また、上記実施例では、主駆動軸５及び副駆動軸５’は、搬送ローラ４、４’の一方の端部に沿って配置されていたが、搬送ローラ４、４’の下方に配置されていてもよい。
【００４７】
また、上記実施例では、副コンベア体１ｂ側に固定部材１２を設けることで、両コンベア体１ａ，１ｂの連結強度を高めることから好ましいが、本発明はこれに限定されるものではなく、例えば多関節部材１０に両コンベア体１ａ，１ｂを屈曲不能にロックさせる連結構造を用いてもよいことは言うまでもなく、他の構成でバイパスコンベア１の使用時に両コンベア体１ａ，１ｂを屈曲不能にしてもよい。
【００４８】
また、上記実施例では、モータ９の動力を駆動軸５及び搬送ローラ４等に非接触状態で伝達する磁力式の伝達手段が適用されているが、本発明はこれに限定されるものではなく、例えばモータ９の回転軸と主駆動軸５、及び駆動軸５、５’と搬送ローラ４、４’とを丸ベルトを介して従来公知のプーリ接続で接続し、モータ９の駆動力を伝達するようにしてもよい。
【００４９】
また、上記実施例では、ロック機構の一例としてボルト１２ｂの螺合によるロック機構が適用されていたが、フック等の係止によるロック機構としてもよい。
【図面の簡単な説明】
【００５０】
【図１】本発明の実施例におけるバイパス搬送装置を用いた飲食物供給用循環搬送路の全体像を示す平面図である。
【図２】（ａ）は、バイパスコンベアの使用状態を示す斜視図であり、（ｂ）は、バイパス搬送装置であるバイパスコンベアを折り畳み収納した非使用状態を示す斜視図である。
【図３】図２（ｂ）のＢ−Ｂ線を示すバイパスコンベアの側断面図である。
【図４】（ａ）は、主コンベア体を水平位置に揺動させた操作説明図であり、（ｂ）は、副コンベア体の揺動過程を示す操作説明図である。
【図５】主コンベア体および副コンベア体の主，従駆動軸の接続を示す要部拡大斜視図である。
【図６】バイパスコンベアの動力伝達過程を示す要部拡大側断面図である。
【符号の説明】
【００５１】
１                バイパスコンベア（バイパス搬送装置）
１ａ              主コンベア体
１ｂ              副コンベア体
２                （クレセントチエンコンベア式の）循環搬送路
２ａ、２ａ’      搬送路
２ｂ、２ｂ’      バイパスコンベアの係止部
２ｃ、２ｄ        取付片（リンク機構の一部）
３、３’          フレーム
３ａ、３ａ’      一端部（分割部）
３ｂ、３ｂ’      他端部
３ｃ              嵌合孔
３ｄ、３ｄ’      傾斜部
４、４’          搬送ローラ
４ａ、４ａ’      ローラ磁性体（伝達手段の一部）
４ｂ、４ｂ’      軸
５                主駆動軸
５’              副駆動軸
５ａ、５ａ’      軸磁性体（伝達手段の一部）
６                主軸継手（磁気軸継手）
６ａ              磁性体
７                副軸継手（磁気軸継手）
７ａ              磁性体
８                駆動ボックス
９                モータ（駆動手段）
９ａ              駆動磁性体
９ｂ              軸
１０              多関節楪番
１０ａ，１０ａ’  軸
１２              固定部材（ロック機構）
１２ａ            嵌合孔
１２ｂ            ボルト（ロック機構の一部）
１３              支持板（リンク機構の一部）
１４              支持片（リンク機構の一部）
１５              伸縮自在な支持棒（リンク機構の一部）
１６              フック
１７              フック受軸
Ｋ                カウンタ
Ｒ１、Ｒ２        切替レバー
Ｓ                寿司皿（飲食物）
【図１】
2006217980.tif 000003
【図２】
2006217980.tif 000004
【図３】
2006217980.tif 000005
【図４】
2006217980.tif 000006
【図５】
2006217980.tif 000007
【図６】
2006217980.tif 000008